(57)【要約】【課題】電子機器の非装着時には充電端子をケース内に収納して感電や短絡を防止しつつ装着時には電子機器との接続性に優れ、部品点数の低減に効果的な充電台を提供することを目的とする。【解決手段】充電台は、充電する電子機器を装着する装着面を有するケースと、そのケース内に回動体と、回動体を回動操作する回動体操作部材とを備え、回動体操作部材は、装着面とほぼ平行にスライド自在に設けてあるとともに、一の端部に被押圧部を有し他の端部に回動体との連結部を有し、被押圧部はケース内から装着面に臨み、連結部は回動体に枢着してあり、回動体には、回動軸と充電端子を有し、回動体操作部材のスライドにより充電端子の接点部を装着面に突没自在にし、回動体操作部材を充電端子の接点部没入状態に弾性付勢した。【選択図】  図１
2006304524.tif 000002
【特許請求の範囲】
【請求項１】
電子機器の充電台において、
充電台は、充電する電子機器を装着する装着面を有するケースと、そのケース内に回動体と、回動体を回動操作する回動体操作部材とを備え、
回動体操作部材は、装着面とほぼ平行にスライド自在に設けてあるとともに、一の端部に被押圧部を有し他の端部に回動体との連結部を有し、
被押圧部はケース内から装着面に臨み、連結部は回動体に枢着してあり、回動体には、回動軸と充電端子を有し、回動体操作部材のスライドにより充電端子の接点部を装着面に突没自在にし、回動体操作部材を充電端子の接点部没入状態に弾性付勢してあることを特徴とする充電台。
【請求項２】
ケースの装着面の端部に電子機器本体の凸状押圧部形状におおむね合致した凹状の収容壁部を形成し、収容壁部の中央部に回動体操作部材の被押圧部を配置したことを特徴とする請求項１記載の充電台。
【発明の詳細な説明】
【技術分野】
【０００１】
本発明は電子機器用充電台に関し、特に携帯電話機等の携帯型電子機器の充電台に係る。
【背景技術】
【０００２】
携帯型の電子機器において、例えば携帯電話機等の移動体通信機では内蔵している電池を充電するために充電台を用いている。
このような充電台は、その充電端子を常時外部に露出させると金属製品にて短絡する恐れや、人が触れた際に低電圧ではあるが不快感を感じたり、人によっては傷害を発生させる恐れがある。
このため、携帯電話機を充電しない場合にはその充電端子をケース内に収納する技術が提案されている。
特開２００３−１３４６８０号公報には充電端子をケースからの突出位置と退入位置に切り替える技術を開示する。
これは、ケースより突出させた被押圧部を携帯電話機で所定ストローク分押し込むことで充電端子の突没を切り替えるものであるため、携帯電話機を位置決め部に突き当てる動作をした後に充電のためにさらに携帯電話機を押し込み装着するものである。
従って、位置決め動作と押し込み動作の２段操作となっていた。
また、２段操作機構のため部品点数も多かった。
さらには、位置決めが不充分だとモールド部品に充電端子があたり、樹脂付着による接触不良も発生しやすかった。
特開２００３−３４８２０９号公報に、充電回路にスイッチを備えて充電端子への接続を切り替える技術を開示するが、やはり充電端子への接続を行う前にスイッチ操作に連動するように携帯電話機の位置決め動作が必要であった。
またスイッチ部品が必要である点で部品点数が多くコスト高の原因の一つになっていた。
【０００３】
【特許文献１】特開２００３−１３４６８０号公報
【特許文献２】特開２００３−３４８２０９号公報
【発明の開示】
【発明が解決しようとする課題】
【０００４】
本発明は上記技術的課題に鑑みて、電子機器の非装着時には充電端子をケース内に収納して感電や短絡を防止しつつ装着時には電子機器との接続性に優れ、部品点数の低減に効果的な充電台を提供を目的とする。
【課題を解決するための手段】
【０００５】
請求項１記載の発明の技術的要旨は、電子機器の充電台において、充電台は、充電する電子機器を装着する装着面を有するケースと、そのケース内に回動体と、回動体を回動操作する回動体操作部材とを備え、回動体操作部材は、装着面とほぼ平行にスライド自在に設けてあるとともに、一の端部に被押圧部を有し他の端部に回動体との連結部を有し、被押圧部はケース内から装着面に臨み、連結部は回動体に枢着してあり、回動体には、回動軸と充電端子を有し、回動体操作部材のスライドにより充電端子の接点部を装着面に突没自在にし、回動体操作部材を充電端子の接点部没入状態に弾性付勢した点である。
【０００６】
電子機器は、被押圧部を装着面に沿って押し込むようにしてそのままケースに装着する。
この被押圧部の押し込みにより、回動体操作部材が装着面と平行にスライドして、その端部が枢着している回動体を回動し、回動体に取り付けた充電端子の先端部が装着面に突出し、電子機器の受電端子に接続する。
このように、電子機器を装着面に沿って装着する際の直線動作により被押圧部を押し込んで、回動体操作部材が直線動作に同調し、回動体において回転動作に変換して充電端子の突出動作となる。
この場合に、電子機器が回動体操作部材の被押圧部に当接する位置が決まっているので充電端子の突出タイミングも同調して定まる。
また、ケースから電子機器を取り外すと、回動体操作部材が弾性体の復元力で充電端子はケース内に没入する。
【０００７】
請求項２記載の発明の技術的要旨は、ケースの装着面の端部に電子機器本体の凸状の押圧部形状におおむね合致した凹状の収容壁部を形成し、収容壁部の中央部に回動体操作部材の被押圧部を配置した点である。
【０００８】
収容壁部を電子機器本体の凸状の押圧部形状におおむね合致させて装着面の端部に形成することで、電子機器を傾けて装着しようとした場合には電子機器の押圧部を収納壁部の奥までは、入らないようになる。
従って、凹部形状の収納壁部の中央部に被押圧部を配置すると、奥まった所に被押圧部を配置することになるため、電子機器が傾いていると電子機器押圧部が回動体操作部材の被押圧部に当たらないので、電子機器が装着しない状態で充電端子が突出するのを防止する。
【発明の効果】
【０００９】
本発明に係る充電台は、充電台に形成した装着面に沿って電子機器をスライド装着する一連の動作にて充電端子を突出させることができるので装着性に優れる。
【００１０】
電子機器の装着動作に沿って回動体操作部材がスライドする動きを回動体にて回転動作に変換し、そのまま充電端子の突出動作に連動させたので、充電端子の突出タイミングも同調して定まる。
また、構造が簡単で部品点数の低減に効果的である。
【００１１】
電子機器本体部の凸状押圧部形状にほぼ合致した凹状の収納壁部をケースに形成した装着面に設け、その中央部に回動体操作部材の被押圧部を配置したので、不用意な被押圧部の押圧による充電端子の不適切な突出を防ぎ、電子機器装着時における短絡や感電事故を防止する。
【発明を実施するための最良の形態】
【００１２】
本発明が適用される電子機器は充電式である限りにおいて特に限定されないが、以下携帯電話機用充電台（充電用卓上ホルダ等）を例に説明する。
図２（イ）に充電台の外観図を示し、図３に分解要部図を示す。
充電台１０のケースは樹脂成型した上ケース１１と下ケース１２を嵌合形成し、上ケース１１上面に携帯電話機の装着面１３を備えている。
この装着面１３の長手方向側の一方の端部には充電端子の接点部２３ａが突没する一対の充電端子突没開口部１４を設けている。
もう一方の端部には、装着面１３から立ち上がるように収納壁部４０を形成し、この収納壁部４０に被押圧部突出開口部１５を設け、この開口部１５から後述する回動体操作部材の被押圧部３１を突出させている。
充電端子突出用の開口部１４の左右両脇には装着する携帯電話機側面２ａに沿うガイド状のガイド壁部４１を上ケース１１から上方へ突出させている。
収納壁部４０は、携帯電話機装着方向の終端側１１ａに形成し、被押圧部３１の周囲を略弧状に囲むように凹状になっている。
充電端子突没開口部１４側には、フック用開口部１６を設けて小さいフック部５０を備えている。
フック部５０は軸５２を軸受け１８ｃに軸着し、バネ５３で爪５１を付勢している。
携帯電話機１を装着面１３に沿う矢印Ａ方向に挿入し、収納壁部４０の凹み部分である突当部４０ａに先端の凸状押圧部５を突き当てると充電台の係止爪１７と携帯電話機の係合溝６とを係合し、携帯電話機の底部２ｂの受け部３とフック部５０の爪５１とを係合する。
フック部５０は携帯電話機１の挿入動作の妨げとならないように装着面１３からの高さを低く設定している。
図２（ロ）に充電台に携帯電話機を装着した状態を示す。
携帯電話機１は図２（イ）に示す矢印Ａ方向に、装着面１３に沿って底部２ｂを滑らせて挿入すると、携帯電話機１の本体部２の押圧部５が被押圧部３１を押圧して矢印Ａ方向に押し込む。
充電台１０はこの押し込み力を利用して充電端子突没開口部１４から充電端子の接点部２３ａを突出させて、携帯電話機１のパッド状の受電端子４に接点部２３ａを接続して充電を行う。
この時の充電端子の動作を、図１に示す動作説明図と、図３に示す分解要部図で説明する。
図１は充電台の縦断面を描き、わかりやすくするために要部のみ表してある。
図１（イ）は携帯電話機を装着する前の状態を示す。
充電台１０内には回動体（スイベルアーム）２０を回動軸２１にて回動自在に設け、ロッド状の回動体操作部材（アクチュエータ）３０を装着面１３に沿うように備え、その一端を回動体に枢着してある。
回動体２０は側面を描き、充電端子２３と回動体操作部材３０との連結部分を透視して描いてある。
回動体操作部材３０はスライド方向側面視略Ｌ字形状に形成してあり、ケース１１、１２内側のガイド部に嵌め込み、装着面１３の長手方向の所定範囲を装着面とほぼ平行に移動自在に取り付け、ケース１１側のバネ受け部１８ｄと回動体操作部材側のバネ取付部３０ａとの間に弾性部材（コイルスプリング）３３を備えて被押圧部３１が突出する方向に付勢してある。
回動体操作部材３０の回動体２０側の端部は、コ字状の連結部３２を設けて回動軸２１から装着面１３側に所定間隔を隔てた回動体の連結部２２に枢着している。
図５（イ）に回動体２０と回動体操作部材３０を取り出した平面図を示す。
回動体２０には図５（ロ）にＤ−Ｄ線断面図を示すように回動軸２１から装着面側に所定距離を隔てた位置で、連結部２２と回動軸２１との間にトーションバネ状の弾性体からなる充電端子２３を取り付けている。
充電端子２３は中継基板２４を経て図３に示すコネクタ１９に結線（図示省略）されている。
充電端子２３の先端部は山形状に折り曲げてその頂部を接点部２３ａとしている。
回動体２０は、接点部を充電端子突没開口部１４に内側から臨む位置から、回動することで開口部１４を通してケース１１外へ突出、あるいはケース１１内に没入させるように、回動軸２１でケース１１内側に軸着している。
電子機器の非装着状態では、回動体操作部材３０を弾性部材３３でバネ付勢することで回動体２０を回動させ、接点部２３ａをケース１１内に没入させている。
回動体操作部材３０の回動体２０の反対側の端部は、Ｌ字状に装着面１３側に延在して被押圧部３１を形成している。
この被押圧部３１は、上ケース１１を開口させた被押圧部突出開口部１５から突出している。
【００１３】
図１（ロ）は携帯電話機を矢印Ａ方向に挿入して、携帯電話機本体部２を被押圧部に当接させた状態を示す。
この状態から携帯電話機１で被押圧部３１の押し込み動作することで、それに同調して回動体操作部材３０が装着面１３に沿う同方向（矢印Ｂ方向）へ移動する。
図１（ニ）に回動体部分の拡大図を示す。
回動体操作部材３０は回動体２０の連結部２２に連結していることから、回動体２０が回動軸２１を中心軸として回動し（矢印Ｃ）、これにより回動体２０に取り付けている充電端子２３も回動動作する。
そして、充電端子接点部２３ａは充電端子突没開口部１４へ向けて上昇を開始する。
この充電端子２３が上昇を開始するタイミングは、被押圧部３１を設ける位置で設定出来る。
また、充電端子２３の接点部２３ａは回動動作することから、接点部２３ａが上昇する速度は例えば回動軸２１と接点部２３ａとの間の距離を変えることで設定出来る。
このように、介在する部品が少なくシンプルな構造でありながら携帯電話機受電端子４の位置の移動に同調させて、充電端子２３を上昇させるように簡単に設定可能な構造となっている。
そのため、従来のように携帯電話機の装着動作の最初に、携帯電話機と充電台の一部を係合させて位置決めを行わなくても、携帯電話機１をスライドさせながら充電端子２３と受電端子４とを正確に接続させることが出来る。
このように充電端子２３と受電端子４を正確に接続することで、例えば充電端子２３が受電端子４周囲のモールド部４ａを擦ってしまうことによる変形や、モールド部４ａを削った削りカスによる接触不良を防止出来る。
携帯電話機１は装着面１３に沿ってスライドさせ、携帯電話機ケースの押圧部５を突当部４０ａに突き当てて、突当部４０ａの係止爪１７に携帯電話機１の係合溝６を嵌め込む。
係合溝６はわかりやすくするため奥側のみを描いてある。
そして、装着面１３に向けて図１（ロ）に示すように携帯電話機１をそのまま押しつけることでフック部５０と底部２ｂのフック受け部３とを係合させる。
この状態で接点部２３ａと受電端子４の接続が完了する。
この携帯電話機１の押しつけ動作は、従来のように充電端子を突出させるために被押圧部を押し込む動作とは全くことなり、単に携帯電話機をフック部５０で係合するだけであることから、その押しつけストロークを極力小さく出来る。
携帯電話機１をフック部５０に係止させるまでの動作は、ほぼ同方向に携帯電話機１を移動させる動作で、携帯電話機１の長手方向の向きを殆ど変化させずに行うことが出来る。
このことから、装着動作を一連の動作（一段操作）として素早く簡単に行うことが出来る。
尚、図では電子機器を装着面１３に沿った長手方向からスライドさせて装着する状態を描いているが、電子機器は装着面１３に上方から、押圧部５が被押圧部３１に対峙するように置いて、そこからスライドさせて被押圧部３１を押し込んでもよい。
【００１４】
次に収納壁部による携帯電話機挿入時の被押圧部の押し込み規制について説明する。
収納壁部４０は、図２（イ）に示すように携帯電話機挿入側を凹ませて、充電台上ケース１１の幅方向に左右対称に弧状に、被押圧部３１を囲むように突出している。
その略弧状部分の両端は、被押圧部３１よりも接点部２３ａ側（携帯電話機挿入側）へせり出している。
収納壁部４０の凹み形状は図２（ロ）に示すように装着した携帯電話機１の押圧部５の外径形状とおおむね合致した形状に凹み、装着する携帯電話機１の先端部５形状に沿ってフィットする形状になっている。
このため、携帯電話機１を正規の挿入方向に対して、例えば図４（イ）に示すように上方へ傾けて挿入した場合には、携帯電話機１の正規の挿入位置に対するずれ部分の先端部となる先端部上側５ａは、収納壁部４０の突当部４０ａと干渉する。
この時、先端部下側５ｂは装着面１３と干渉する。
このように、収納壁部４０は正規の挿入位置に対する携帯電話機のずれ部分の先端部に干渉する形状とすることで、傾いた携帯電話機による被押圧部の押し込みを規制する。
また、例えば図４（ロ）に示すように、携帯電話機１を横方向に傾けて挿入しようとした場合は、例えこのまま携帯電話機１を装着面１３と略平行にしようとしても、図４（ハ）に示すように、ガイド壁部４１が携帯電話機底部２ｂと干渉する。
この時、携帯電話機１の先端部上側５ａが突当部４０ａに干渉し、先端部下側５ｂが装着面１３に干渉して、被押圧部３１の押し込みを防止している。
ガイド壁部４１が携帯電話機底部２ｂに干渉し、携帯電話機１方向を装着面１３と略平行に出来ないため、突当部４０ａと装着面１３による携帯電話機本体部２に対する干渉が外れることを防止している。
被押圧部３１の大きさは、傾いた電子機器による押し込み規制をするために、充電端子の所定の突出動作が得られ、携帯電話機が確実に押し込める必要最小限の大きさとするのが良い。
そして、傾けて装着しようとした電子機器本体部に収納壁部よりも先に当たらないように、凹状の収納壁部突当部４０ａの奥側で、好ましくは左右方向の中央部、そして上下方向の中央部に被押圧部を設けるのが良い。
これにより被押圧部３１の押し込みを規制して誤った装着状態での充電端子の突出を防止している。
このように、収納壁部、そしてガイド壁部を設けることで不用意に携帯電話機を傾けて装着しようとした場合の充電端子を突出を防止して、誤って突出した充電端子による短絡や感電事故を防止出来る。
【図面の簡単な説明】
【００１５】
【図１】本発明に係る充電台の動作説明図を示す。
【図２】（イ）は充電台の外観図を示し、（ロ）は携帯電話機装着状態の外観図を示す。
【図３】充電台の分解要部図を示す。
【図４】収納壁部の携帯電話機に対する作用の説明図を示す。
【図５】（イ）は回動体と回動体操作部材を取り出した平面図を示し、（ロ）はＤ−Ｄ線断面図を示す。
【符号の説明】
【００１６】
１      携帯電話機（電子機器）
２      携帯電話機本体部
４      携帯電話機受電端子
５      携帯電話機押圧部
１０    携帯電話機用充電台（電子機器用充電台、充電用卓上ホルダ）
１１    充電台上ケース
１２    充電台下ケース
１２ａ  ビス
１２ｂ  ゴム脚
１３    装着面
１４    充電端子突没開口部
１５    被押圧部突出開口部
１６    フック用開口部
１８ａ  回動体操作部材ガイド
１８ｂ  回動体軸受け
１８ｃ  ロック部軸受け
１８ｄ  バネ受け部
２０    回動体
２１    回動軸
２２    回動体連結部
２３    充電端子
２３ａ  充電端子接点部
３０    回動体操作部材（アクチュエータ）
３０ａ  バネ取付部
３１    被押圧部
３２    連結部
３３    弾性部材（コイルスプリング）
４０    収納壁部
４０ａ  突当部
４１    ガイド壁部
５０    フック部
５１    フック部爪
５２    フック部軸
５３    フック部バネ
【図１】
2006304524.tif 000003
【図２】
2006304524.tif 000004
【図３】
2006304524.tif 000005
【図４】
2006304524.tif 000006
【図５】
2006304524.tif 000007